(57)【要約】  呼び出し音、壁紙、ワイヤレス・デバイス・メモリなどのようなユーザ制御のワイヤレス・デバイス資産および／または特徴上で提示されるコンテンツを制御するための方法、システム、装置およびコンピュータ・プログラム・プロダクトが説明される。本件態様において、ユーザ制御の状態から広告制御の状態へのユーザ要求の制御状態変更が行なわれる。これに関係して、ユーザが広告主または広告プロバイダに対してワイヤレス・デバイス資産の制御をいったん容認すると、広告主は、所定の期間の間、指定のワイヤレス・デバイス資産に広告を提供することができる。広告主または広告プロバイダの見地から、本件態様は、新しいプラットフォーム上で提示されるべき広告を提供する。追加的に、ワイヤレス・デバイス資産に対する制御を得ることによって、広告主または広告プロバイダは、彼らの広告が制御期間の間確実に実行されることが保証される。【選択図】図6
2011525260.tif 000002
【特許請求の範囲】
【請求項１】
ユーザ指定のワイヤレス・デバイス資産に広告を提供するための方法であって、
少なくとも1つのユーザ制御のワイヤレス・デバイス資産がユーザ制御の状態から広告制御の状態へのユーザ実装の制御状態変更を有することを示す通知をワイヤレス・デバイスから受信することと、
前記通知に示される前記少なくとも1つのユーザ制御のワイヤレス・デバイス資産による使用のために1つまたは複数の広告を前記ワイヤレス・デバイスに提供することと
を具備する方法。
【請求項２】
前記通知を受信することは、前記少なくとも1つのユーザ制御のワイヤレス・デバイス資産のために受け入れ可能な広告を規定する広告パラメータを受信することをさらに具備する、請求項1に記載の方法。
【請求項３】
広告パラメータを受信することは、前記少なくとも1つのユーザ制御のワイヤレス・デバイス資産のために受け入れ可能な広告を規定するユーザ決定の広告パラメータを受信することをさらに具備する、請求項1に記載の方法。
【請求項４】
前記通知を受信することは、前記少なくとも1つのユーザ制御のワイヤレス・デバイス資産が呼び出し音であることを示す前記通知を前記ワイヤレス・デバイスから受信することをさらに具備する、請求項1に記載の方法。
【請求項５】
前記ワイヤレス・デバイスに1つまたは複数の広告を提供することは、先在のワイヤレス・デバイス呼び出し音の代わりに実行されるように操作可能である広告呼び出し音、前記先在のワイヤレス・デバイス呼び出し音の前記実行と一緒に前記ワイヤレス・デバイス上で視覚的にディスプレイされるように操作可能である視覚的広告、またはワイヤレス・デバイス呼び出し音の前記実行の間に周期的に挿入されるように操作可能である広告呼び出し音挿入のうちの少なくとも1つを具備する呼び出し音広告を前記ワイヤレス・デバイスに提供することをさらに具備する、請求項2に記載の方法。
【請求項６】
前記通知を受信することは、前記少なくとも1つのユーザ制御のワイヤレス・デバイス資産が壁紙であることを示す前記通知を前記ワイヤレス・デバイスから受信することをさらに具備する、請求項1に記載の方法。
【請求項７】
前記ワイヤレス・デバイスに1つまたは複数の広告を提供することは、先在のワイヤレス・デバイス壁紙の代わりに前記ワイヤレス・デバイス上でディスプレイされるように操作可能である壁紙広告、または前記先在のワイヤレス・デバイス壁紙と一緒に前記ワイヤレス・デバイス上でディスプレイされるように操作可能である壁紙広告オーバーレイのうちの少なくとも1つを具備する壁紙広告を前記ワイヤレス・デバイスに提供することをさらに具備する、請求項6に記載の方法。
【請求項８】
前記通知を受信することは、前記少なくとも1つのユーザ制御のワイヤレス・デバイス資産がワイヤレス・デバイス・メモリの一部であることを示す前記通知を前記ワイヤレス・デバイスから受信することをさらに具備する、請求項1に記載の方法。
【請求項９】
前記ワイヤレス・デバイスに1つまたは複数の広告を提供することは、ワイヤレス・デバイス・メモリの前記部分よりも少ないまたは等しいサイズを集合的に有する1つまたは複数の広告を提供することをさらに具備する、請求項8に記載の方法。
【請求項１０】
前記通知を受信することは、前記少なくとも1つのユーザ制御のワイヤレス・デバイス資産と関連する前記広告制御の状態のためのユーザ指定期間を示す前記通知を受信することをさらに具備する、請求項1に記載の方法。
【請求項１１】
前記ワイヤレス・デバイスに1つまたは複数の広告を提供することは、前記ワイヤレス・デバイスに1つまたは複数の広告を提供することをさらに具備する、請求項10に記載の方法であって、各広告は、前記広告制御の状態のための前記期間の後に期限が切れるように前記1つまたは複数の広告を操作可能な関連するタイムスタンプを含む、請求項10に記載の方法。
【請求項１２】
ユーザ制御のワイヤレス・デバイス資産に広告を提供するように構成されている少なくとも1つのプロセッサであって、
少なくとも1つのユーザ制御のワイヤレス・デバイス資産がユーザ制御の状態から広告制御の状態へのユーザ実装の制御状態変更を有することを示す通知をワイヤレス・デバイスから受信するための第1のモジュールと、および
前記通知に示される前記少なくとも1つのユーザ制御のワイヤレス・デバイス資産による使用のために前記ワイヤレス・デバイスに1つまたは複数の広告を提供するための第2のモジュールと
を具備する、プロセッサ。
【請求項１３】
コンピュータ可読媒体を具備するコンピュータ・プログラム・プロダクトであって、
少なくとも1つのユーザ制御のワイヤレス・デバイス資産がユーザ制御の状態から広告制御の状態へのユーザ実装の制御状態変更を有することを示す通知をワイヤレス・デバイスから受信することをコンピュータにさせるための少なくとも1つの命令と、および
前記通知に示される前記少なくとも1つのユーザ制御のワイヤレス・デバイス資産による使用のために1つまたは複数の広告を前記ワイヤレス・デバイスに提供することを前記コンピュータにさせるための少なくとも1つの命令と
を具備するコンピュータ・プログラム・プロダクト。
【請求項１４】
少なくとも1つのユーザ制御のワイヤレス・デバイス資産がユーザ制御の状態から広告制御の状態へのユーザ実装の制御状態変更を有することを示す通知をワイヤレス・デバイスから受信するための手段と、および
前記通知に示される前記少なくとも1つのユーザ制御のワイヤレス・デバイス資産による使用のために1つまたは複数の広告を前記ワイヤレス・デバイスに提供するための手段と
を具備する装置。
【請求項１５】
ユーザ制御のワイヤレス・デバイス資産に広告を提供するためのネットワーク・デバイスであって、
少なくとも1つのプロセッサおよびメモリを含むコンピュータ・プラットフォームと、および
前記メモリに記憶され、前記少なくとも1つのプロセッサによって実行可能な広告モジュールであって、前記広告モジュールは、少なくとも1つのユーザ制御のワイヤレス・デバイス資産がユーザ制御の状態から広告制御の状態へのユーザ実装の制御状態変更を有することを示す通知をワイヤレス・デバイスから受信するように操作可能であり、前記通知に示される前記少なくとも1つのユーザ制御のワイヤレス・デバイス資産による使用のために1つまたは複数の広告を前記ワイヤレス・デバイスに提供するように操作可能である、広告モジュールと
を具備するネットワーク・デバイス。
【請求項１６】
前記広告モジュールは、前記ワイヤレス・デバイスのユーザが、1つまたは複数の示されたワイヤレス・デバイス資産について、前記ユーザ制御の状態から前記広告制御の状態への制御状態変更を実装することを可能にするように操作可能な資産制御状態変更要求を前記ワイヤレス・デバイスに提供するようにさらに操作可能である、請求項15に記載のネットワーク・デバイス。
【請求項１７】
前記広告モジュールは、前記少なくとも1つのユーザ制御のワイヤレス・デバイス資産のために受け入れ可能な広告を規定する広告パラメータを含む前記通知を受信するようにさらに操作可能である、請求項15に記載のネットワーク・デバイス。
【請求項１８】
前記広告モジュールは、前記少なくとも1つのユーザ制御のワイヤレス・デバイス資産のために受け入れ可能な広告を規定するユーザ決定の広告パラメータを含む前記通知を受信するようにさらに操作可能である、請求項17に記載のネットワーク・デバイス。
【請求項１９】
前記広告モジュールは、前記ユーザ指定のワイヤレス・デバイス資産が呼び出し音であることを示す前記通知を受信するようにさらに操作可能である、請求項15に記載のネットワーク・デバイス。
【請求項２０】
前記広告モジュールは、先在のワイヤレス・デバイス呼び出し音の代わりに実行されるように操作可能である広告呼び出し音、前記先在のワイヤレス・デバイス呼び出し音の前記実行と一緒に前記ワイヤレス・デバイス上で視覚的にディスプレイされるように操作可能である視覚的広告、またはワイヤレス・デバイス呼び出し音の前記実行の間に周期的に挿入されるように操作可能である広告呼び出し音挿入のうちの少なくとも1つを具備する呼び出し音広告を前記ワイヤレス・デバイスに提供するようにさらに操作可能である、請求項19に記載の方法。
【請求項２１】
前記広告モジュールは、前記ユーザ指定のワイヤレス・デバイス資産が壁紙であることを示す前記通知を受信するようにさらに操作可能である、請求項15に記載のネットワーク・デバイス。
【請求項２２】
前記広告モジュールは、先在のワイヤレス・デバイス壁紙の代わりに前記ワイヤレス・デバイス上にディスプレイされるように操作可能である壁紙広告、または前記先在のワイヤレス・デバイス壁紙と一緒に前記ワイヤレス・デバイス上でディスプレイされるように操作可能である壁紙広告オーバーレイのうちの少なくとも1つを具備する壁紙広告を前記ワイヤレス・デバイスに提供するようにさらに操作可能である、請求項21に記載の方法。
【請求項２３】
前記広告モジュールは、前記ユーザ指定のワイヤレス・デバイス資産がワイヤレス・デバイス・メモリの一部であることを示す前記通知を受信するようにさらに操作可能である、請求項15に記載のネットワーク・デバイス。
【請求項２４】
前記広告モジュールは、ワイヤレス・デバイス・メモリの前記部分より少ないまたは等しいサイズを集合的に有する1つまたは複数の広告を提供するようにさらに操作可能である、請求項23に記載のネットワーク・デバイス。
【請求項２５】
ワイヤレス・デバイス資産のユーザ実装の制御状態変更のための方法であって、
1つまたは複数のユーザ指定のワイヤレス・デバイス資産のためにユーザ制御の状態から広告制御の状態へのユーザ実装の制御状態変更の通知を提供することと、
前記通知に応答して、前記1つまたは複数のワイヤレス・デバイス資産と関連する1つまたは複数の広告を受信することと、および
所定の期間の間、前記1つまたは複数のワイヤレス・デバイス資産と関連する前記広告を実行することと
を具備する方法。
【請求項２６】
前記通知を提供することに先立って前記ユーザ制御の状態から前記広告制御の状態に少なくとも1つのワイヤレス・デバイス資産の前記制御状態を変更せよとの要求を受信することをさらに具備する、請求項25に記載の方法。
【請求項２７】
前記要求は、1つまたは複数の前記ワイヤレス・デバイス資産について、前記ユーザ制御の状態から前記広告制御の状態に前記制御状態を変更することに同意することに対して前記ユーザを補償するためのオファーを含む前記要求を受信することをさらに具備する、請求項26に記載の方法。
【請求項２８】
前記通知を提供することは、前記少なくとも1つのユーザ制御のワイヤレス・デバイス資産のために受け入れ可能な広告を規定するユーザ決定の広告パラメータを提供することをさらに具備する、請求項25に記載の方法。
【請求項２９】
前記通知を提供することは、前記制御状態変更のためのユーザ決定の期間を含む前記通知を提供することをさらに具備する、請求項25に記載の方法。
【請求項３０】
前記通知を提供することは、呼び出し音として規定されるワイヤレス・デバイス資産のために、ユーザ制御の状態から広告制御の状態にユーザ実装の制御状態変更の通知を提供することをさらに具備する、請求項25に記載の方法。
【請求項３１】
前記通知に応答して、1つまたは複数の広告を受信することは、先在の呼び出し音の間に周期的に実行されるように操作可能な呼び出し音広告挿入、前記先在の呼び出し音と一緒にディスプレイされるように操作可能な視覚的広告、または前記先在の呼び出し音の変わりに実行されるように操作可能な呼び出し音広告置換えのうちの少なくとも1つを具備する呼び出し音広告を受信することをさらに具備する、請求項30に記載の方法。
【請求項３２】
前記通知を提供することは、壁紙として規定されるワイヤレス・デバイス資産のために、ユーザ制御の状態から広告制御の状態へのユーザ実装の制御状態変更の通知を提供することをさらに具備する、請求項25に記載の方法。
【請求項３３】
前記通知に応答して、1つまたは複数の広告を受信することは、先在の壁紙と一緒にディスプレイされるように操作可能な壁紙広告オーバーレイ、または先在の壁紙の代わりにディスプレイされるように操作可能な壁紙広告置換えのうちの少なくとも1つを具備する壁紙広告を受信することをさらに具備する、請求項32に記載の方法。
【請求項３４】
前記通知を提供することは、ワイヤレス・デバイス・メモリの一部として規定されるワイヤレス・デバイス資産について、ユーザ制御の状態から広告制御の状態へのユーザ実装の制御状態変更の通知を提供することをさらに具備する、請求項25に記載の方法。
【請求項３５】
前記通知に応答して、1つまたは複数の広告を受信することは、オーディオ広告、ビデオ広告またはマルチメディア広告のうちの少なくとも1つを受信することをさらに具備する、請求項34に記載の方法であって、前記広告の前記集合的なサイズは、前記ワイヤレス・デバイス・メモリの前記部分より少ないまたは等しい、請求項34に記載の方法。
【請求項３６】
所定の時間の間、前記1つまたは複数のワイヤレス・デバイス資産と関連する前記広告を実行することは、前記所定の期間の間、前記ユーザが前記広告の前記実行を指定変更することを防ぐことをさらに具備する、請求項25に記載の方法。
【請求項３７】
広告割り当てのためにワイヤレス・デバイス資産のユーザ決定を提供し、前記指定の資産に広告を提供するように構成されている少なくとも1つのプロセッサであって、
1つまたは複数のユーザ指定のワイヤレス・デバイス資産にユーザ制御の状態から広告制御の状態へのユーザ実装の制御状態変更の通知を提供するための第1のモジュールと、
前記通知に応答して、前記1つまたは複数のワイヤレス・デバイス資産と関連する1つまたは複数の広告を受信するための第2のモジュールと、および
所定の期間の間、1つまたは複数のワイヤレス・デバイス資産と関連する前記広告を実行するための第３のモジュールと
を具備するプロセッサ。
【請求項３８】
コンピュータ可読媒体を具備するコンピュータ・プログラム・プロダクトであって、
１つまたは複数のユーザ指定のワイヤレス・デバイス資産にユーザ制御の状態から広告制御の状態へのユーザ実装の制御状態変更を通知することをコンピュータにさせるための少なくとも１つの命令と、
前記通知に応答して、前記１つまたは複数のワイヤレス・デバイス資産と関連する１つまたは複数の広告を受信することを前記コンピュータにさせるための少なくとも１つの命令と、および
所定の期間の間、１つまたは複数のワイヤレス・デバイスと関連する前記広告を実行することを前記コンピュータにさせるための少なくとも１つの命令と
を具備するコンピュータ・プログラム・プロダクト。
【請求項３９】
１つまたは複数のユーザ指定のワイヤレス・デバイス資産にユーザ制御の状態から広告制御の状態へのユーザ実装の制御状態変更を提供するための手段と、
前記通知に応答して、前記１つまたは複数のワイヤレス・デバイス資産と関連する１つまたは複数の広告を受信するための手段と、および
所定の期間の間、１つまたは複数のワイヤレス・デバイス資産と関連する前記広告を実行するための手段と
を具備する装置。
【請求項４０】
ワイヤレス・デバイス資産のユーザ制御のために構成されているワイヤレス・デバイスであって、
少なくとも１つのプロセッサおよびメモリを含むコンピュータ・プラットフォームと、
広告を提示することまたは記憶することのうちの少なくとも1つを提供し、およびユーザ制御と広告制御との間の制御状態を変更するように操作可能な１つまたは複数のワイヤレス・デバイス資産と、
前記メモリに記憶され、前記少なくとも１つのプロセッサによって実行される資産制御モジュールであって、前記資産制御モジュールは、ユーザ入力に基づいて、ユーザ制御の状態から広告制御の状態に前記ワイヤレス・デバイス資産の１つまたは複数の制御状態における変更のネットワーク・エンティティを通知するように操作可能な資産制御モジュールと、
制御状態における前記変更に応答して、前記メモリに含まれ、前記１つまたは複数のワイヤレス・デバイス資産と関連する１つまたは複数の広告を受信するように操作可能な広告記憶装置と、および
前記メモリに記憶され、前記少なくとも１つのプロセッサによって実行可能な広告実行装置であって、前記資産広告実行装置は、所定の期間の間、前記１つまたは複数のユーザ指定のワイヤレス・デバイス資産と関連する前記１つまたは複数の広告を実行するように操作可能である広告実行装置と
を具備するワイヤレス・デバイス。
【請求項４１】
前記資産制御モジュールは、前記通知を提供することに先立って前記ユーザ制御の状態から前記広告制御の状態へ少なくとも１つのワイヤレス・デバイス資産の前記制御状態を変更せよとのユーザ実装の要求を受信するようにさらに操作可能である、請求項40に記載のワイヤレス・デバイス。
【請求項４２】
前記資産制御モジュールは、前記ワイヤレス・デバイス資産の１つまたは複数について、前記ユーザ制御の状態から前記広告制御の状態へ前記制御状態を変更することに同意することに対して前記ユーザを補償するためのオファーを含む前記要求を受信するようにさらに操作可能である、請求項41に記載のワイヤレス・デバイス。
【請求項４３】
前記資産制御モジュールは、前記少なくとも１つのワイヤレス・デバイス資産のために受け入れ可能な広告を規定するユーザ決定の広告パラメータの前記ネットワーク・エンティティを通知するようにさらに操作可能である、請求項40に記載のワイヤレス・デバイス。
【請求項４４】
前記資産制御モジュールは、前記制御状態変更のためにユーザ決定の期間の前記ネットワーク・エンティティを通知するようにさらに操作可能である、請求項40に記載のワイヤレス・デバイス。
【請求項４５】
前記資産制御モジュールは、呼び出し音として規定されるワイヤレス・デバイス資産のためにユーザ制御の状態から広告制御の状態へのユーザ実装の制御状態変更の前記ネットワーク・エンティティを通知するようにさらに操作可能である、請求項40に記載のワイヤレス・デバイス。
【請求項４６】
前記広告記憶装置は、制御状態における前記変更に応答して、先在の呼び出し音の間に周期的に実行されるように操作可能な呼び出し音広告挿入、前記先在の呼び出し音と一緒にディスプレイされるように操作可能な視覚的広告、または前記先在の呼び出し音の代わりに実行されるように操作可能な呼び出し音広告置換えのうちの少なくとも１つを具備する１つまたは複数の呼び出し音広告を受信するようにさらに操作可能である、請求項45に記載のワイヤレス・デバイス。
【請求項４７】
前記資産制御モジュールは、壁紙として規定されるワイヤレス・デバイス資産のために、ユーザ制御の状態から広告制御の状態へのユーザ実装制御状態変更の前記ネットワーク・エンティティを通知するようにさらに操作可能である、請求項40に記載のワイヤレス・デバイス。
【請求項４８】
前記広告記憶装置は、制御状態における前記変更に応答して、先在の壁紙と一緒にディスプレイされるように操作可能な壁紙広告オーバーレイ、または先在の壁紙の代わりにディスプレイされるように操作可能な壁紙広告置換えのうちの少なくとも１つを具備する１つまたは複数の壁紙広告を受信するようにさらに操作可能である、請求項47に記載のワイヤレス・デバイス。
【請求項４９】
前記資産制御モジュールは、ワイヤレス・デバイス・メモリの一部として規定されるワイヤレス・デバイス資産のために、ユーザ制御の状態から広告制御の状態へのユーザ実装の制御状態変更の前記ネットワーク・エンティティを通知するようにさらに操作可能である、請求項40に記載のワイヤレス・デバイス。
【請求項５０】
前記広告記憶装置は、制御状態における前記変更に応答して、オーディオ広告、ビデオ広告、またはマルチメディア広告のうちの少なくとも１つを具備する１つまたは複数の広告を受信するようにさらに操作可能である、請求項49に記載のワイヤレス・デバイスであって、前記広告の前記集合的サイズは、前記ワイヤレス・デバイス・メモリの前記部分より少ないまたは等しい、請求項49に記載のワイヤレス・デバイス。
【発明の詳細な説明】
【技術分野】
【０００１】
説明される態様は、ワイヤレス通信に関係し、より詳細には、メモリ、壁紙、呼び出し音などのようなワイヤレス・デバイス資産および／または特徴と関連する、広告コンテンツのようなコンテンツを制御するための方法、システム、および装置に関係する。
【背景技術】
【０００２】
ワイヤレス通信ネットワークは、受信者にメディア・コンテンツを配信するように設計されている。例えば、ワイヤレス通信ネットワークは、同時に複数の受信者に情報を送信するブロードキャストまたはマルチキャスト・システムを具備することができる。そのようなシステムの1つの例は、カリフォルニア州、サンディエゴにあるQUALCOMM社から利用できるMediaFLOTMシステムである。これらのタイプのメディア配信システムは、ブロードキャスト・プログラミングを配信することに加えて、携帯電話などのようなワイヤレス通信デバイスに広告コンテンツ（もしくは広告またはadsと呼ばれる）を配信することに特に適合する。
【０００３】
従来、広告は、ワイヤレス・デバイス上で他のメディア・コンテンツの消費と一緒にディスプレイされてきた。例えば、ワイヤレス・デバイスが、生中継のスポーツイベント・ブロードキャストのようなリアルタイムのブロードキャスト／マルチキャスト・メディア・コンテンツを受信している場合、広告は、スポーツイベントの区切りの間に挿入されることができる。他の例において、ワイヤレス・デバイスが、規則的なスケジュールでブロードキャスト／マルチキャスト・プログラムのようなメディア・コンテンツをダウンロードし、後の消費のためにメディア・コンテンツを記憶する場合、メディア・コンテンツは、広告の挿入のための広告スロットといっしょに構成されることができる。マルチメディア・ブロードキャスト／マルチキャスト・コンテンツに加えて、音楽ファイルのようなオーディオ・コンテンツがブロードキャストされ、マルチキャストされ、もしくはユニキャストされてもよい。そのような事例において、ビデオ広告は、オーディオ・コンテンツが再生されている間にワイヤレス・デバイス上でディスプレイされることができる。
【０００４】
近ごろ、広告主および／または広告プロバイダは、ワイヤレス通信デバイス上で広告するためのさらなる方法を発展させてきた。例えば、広告主および／または広告プロバイダは、ワイヤレス・デバイス上に広告主のおよび／または広告プロバイダの広告を受け入れ、実行することに同意することに対するインセンティブをユーザに提供してきた。インセンティブは、無料のワイヤレス・サービス、低減されたワイヤレス・サービスレート、ワイヤレス・デバイスの料金の減額などを含んでいる。ユーザがオファーをいったん受け入れると、広告主のおよび／または広告プロバイダの広告がデバイスに通信され、所定の期間の間メモリに記憶され、ブロードキャスト／マルチキャストされるメディア・コンテンツにおける広告スロットの間、独占的に再生される、もしくは、任意の他の広告よりも頻繁に再生される。しかしながら、この広告シナリオにおいてさえ、広告主は、広告が実行またはディスプレイされている時間の間、この広告を無視することを選ぶかもしれないユーザによって彼らの広告が見られているという限定的な確信を有している。
【０００５】
ユーザの見地からすると、ユーザは、自分がどの広告を受信し、その後デバイス上で実行するかについてなんらかの制御を有することを望むかもしれない。 例えば、ユーザは、ある製品またはサービスにこだわりを持っていて、その結果、当該特定の製品またはサービスを広告することがユーザにとって都合がいいかもしれない。加えて、ユーザは、ある製品またはサービスに対して、今すぐの興味または継続中の興味を有しているかもしれない。すなわち、例えば、ユーザが今すぐ購入したいと思う製品またはサービス、またはユーザが定期的に購入する製品またはサービスに対して、である。この事例において、ユーザは、そのような製品およびサービスと関連する広告をより快く受信する。なぜなら、当該広告のコンテンツは、ユーザの現在のニーズに非常に関係しているからである。
【０００６】
したがって、広告主および広告プロバイダは、ワイヤレス・デバイス上で広告を提供および実行するための新しい手段を望んでいる。これに関係して、所望の手段は、ブロードキャスト／マルチキャスト・プログラミングの間に指定の広告スロットにおいて広告を提示すること、または広告が標準的に提示される任意の他の従来の方法に限られるべきではない。所望の広告プラットフォームは、広告主の広告がワイヤレス・デバイス上で最大の露出を受けること、およびいくつかの事例において、デバイスのユーザを超えて広告の露出を提供することを保証するべきである。加えて、所望の広告スキームは、ワイヤレス・デバイスのユーザがどのタイプの広告を受信または規定するかを選び、デバイス上の広告の実行に関係する他の制限を選ぶことを可能にするべきである。
【発明の概要】
【０００７】
以下は、1つまたは複数の態様の単純化された概要を提示することによって、そのような態様の基本的な理解を提供する。この発明の概要は、すべての企図される態様の広範な概要ではなく、すべての態様の鍵となるまたは重要なエレメントを識別するように意図されるわけでも、任意のまたはすべての態様の範囲を詳細に描写するように意図されるわけでもない。この唯一の目的は、以下に提示されるより詳細な説明の前置きとして単純化された形式で1つまたは複数の態様のいくつかの概念を例示することである。
【０００８】
したがって、本件態様は、ユーザ制御のワイヤレス・デバイス・アクセスおよび／または特徴上で提示されるコンテンツを制御するためのシステム、方法、および装置を提供する。ワイヤレス・デバイス資産および／または特徴は、デバイスによって実施される任意のユーザ制御の機能またはアプリケーション、または広告を記憶、提示、または実行することができるデバイスにおける任意のユーザ制御のメカニズムとして定義されることができる。例えば、ワイヤレス・デバイス資産は、次のものに限られないが、呼び出し音、ディスプレイ壁紙、デバイス・メモリなどを含むことができる。本件態様において、ユーザ制御の状態から広告制御状態へのユーザ要求制御状態変更を実装することは、ワイヤレス・デバイス資産において提示されるまたは記憶されるコンテンツを制御する。これに関係して、広告主または広告プロバイダに対してワイヤレス・デバイス資産の制御をユーザがいったん容認すると、広告主は、所定の期間の間、指定のワイヤレス・デバイス資産に広告を提供することが可能になる。
【０００９】
追加的に、本件態様は、どのタイプの広告が指定のワイヤレス・デバイス資産または特徴と関連させられているか、または広告が特定の制御指定のために提供され得ることを制御する量および／またはタイプをワイヤレス・デバイスのユーザが選ぶまたはそうでなければ指定することを提供してもよい。
【００１０】
そのように、本件態様は、例えば、呼び出し音広告、壁紙広告などのような広告をワイヤレス・デバイス上で提示する固有の方法を広告主および／または広告プロバイダに提供する。加えて、本件態様は、広告主または広告プロバイダが所定の期間の間、ユーザの資産上で制御を得ることを可能にするので、制御期間の間にわたって最大露出／表示を広告が維持することを確実なものにする。指定期間の間、資産を制御することによって、広告主は、時間に敏感な広告、時間的に連続的な広告、位置に敏感な広告などを提供することができる。追加的に、呼び出し音および壁紙のようなプラットフォームは、ユーザを超えて露出を広告することを提供し、呼び出し音を聞き、またはデバイスのディスプレイを見る任意の他の者を含むことができる。
【００１１】
1つの態様にしたがって、ユーザ指定のワイヤレス・デバイス資産に広告を提供するための方法が定義される。前記方法は、ユーザ制御の状態から広告制御の状態へのユーザ実装の制御状態変更を有するユーザ制御のワイヤレス・デバイス資産を示す通知をワイヤレス・デバイスから受信することと、および前記通知に示されるユーザ制御のワイヤレス・デバイス資産による使用のためにワイヤレス・デバイスに広告を提供することとを含む。
【００１２】
前記通知は、広告パラメータを選択的に含むことができる。前記広告パラメータは、ユーザ決定の広告パラメータであって、指定のユーザ制御のワイヤレス・デバイス資産のために受け入れ可能な広告を規定するパラメータであってもよい。追加的に、前記通知は、ユーザ制御のワイヤレス・デバイス資産と関連する広告制御の状態のためのユーザ決定の期間を含むことができる。これに関係して、ワイヤレス・デバイスに広告を提供することは、広告制御の状態のための期間の後に期限が切れるように操作可能な関連するタイムスタンプを広告に提供することをさらに含むことができる。
【００１３】
前記方法の1つの態様において、ユーザ制御のワイヤレス・デバイス資産は、呼び出し音である。そのように、状態が広告制御状態を示すときワイヤレス・デバイスに提供される広告は、任意の既知のまたは将来知られる呼び出し音広告を含むことができる。例えば、呼び出し音広告は、先在の呼び出し音の代わりに実行されるように操作可能な呼び出し音広告置換え、先在の呼び出し音と一緒に実行されるように操作可能な呼び出し音挿入広告、または先在の呼び出し音の実行と一緒にディスプレイされるように操作可能である視覚的広告を含むことができる。
【００１４】
前記方法の他の態様において、ユーザ制御のワイヤレス・デバイス資産は、ディスプレイ壁紙である。そのように、状態が広告制御の状態を示すときワイヤレス・デバイス資産に提供される広告は、任意の既知のまたは将来知られる壁紙広告を含むことができる。例えば、壁紙広告は、先在の壁紙の代わりにワイヤレス・デバイス上でディスプレイされるように操作可能な壁紙広告置換え、または先在の壁紙と一緒にワイヤレス・デバイス資産上でディスプレイされるように操作可能である壁紙広告オーバーレイを含むことができる。
【００１５】
さらに、前記方法の他の態様において、ユーザ制御のワイヤレス・デバイス資産は、ワイヤレス・デバイス・メモリの一部として規定される。そのように、状態が広告制御の状態を示すときワイヤレス・デバイス資産に提供される広告は、任意の既知のまたは将来知られるビデオ、オーディオ、またはマルチメディア広告を含むことができる。集合的に、提供される広告は、広告記憶装置のために指定されたワイヤレス・デバイス・メモリの部分よりも少ないまたは等しいサイズを有してもよい。
【００１６】
関係する態様において、ユーザ制御のワイヤレス・デバイス資産に広告を提供するように構成されている少なくとも1つのプロセッサが提供される。前記プロセッサは、ユーザ制御の状態から広告制御の状態へのユーザ実装の制御状態変更を有するユーザ制御のワイヤレス・デバイス資産を示す通知をワイヤレス・デバイスから受信するための第１のモジュールと、および前記通知に示される指定のユーザ制御のワイヤレス・デバイス資産による使用のためにワイヤレス・デバイスに広告を提供するための第２のモジュールとを含む。
【００１７】
さらに関係する態様が、コンピュータ可読媒体を含むコンピュータ・プログラム・プロダクトにより提供される。前記媒体は、ユーザ制御の状態から広告制御の状態へのユーザ実装の制御状態変更を有するユーザ制御のワイヤレス・デバイス資産を示す通知をワイヤレス・デバイスから受信することをコンピュータにさせるための少なくとも1つの命令を含む。前記媒体はまた、前記通知に示されるユーザ制御のワイヤレス・デバイス資産による使用のための広告をワイヤレス・デバイスに提供すことをコンピュータにさせるための少なくとも1つの命令を含む。
【００１８】
さらに他の関連する態様が装置によって規定される。前記装置は、ユーザ制御の状態から広告制御の状態へのユーザ実装の制御状態変更を有する1つまたは複数のユーザ制御のワイヤレス・デバイス資産の通知をワイヤレス・デバイスから受信するための手段と、および前記通知において示される少なくとも1つのユーザ制御のワイヤレス・デバイス資産による使用のための1つまたは複数の広告をワイヤレス・デバイスに提供するための手段とを含む。
【００１９】
さらなる態様は、ユーザ制御のワイヤレス・デバイス資産に広告を提供するためのネットワーク・デバイスまたはシステムによって提供される。前記ネットワーク・デバイスは、少なくとも1つのプロセッサおよびメモリを含むコンピュータ・プラットフォームを含む。ネットワーク・デバイスは、メモリにおいて記憶され、少なくとも1つのプロセッサによって実行可能な広告モジュールをさらに含む。前記広告モジュールは、ユーザ制御の状態から広告制御の状態へのユーザ実装の制御状態変更を有する少なくとも1つのユーザ制御のワイヤレス・デバイス資産を示す通知をワイヤレス・デバイスから受信するように操作可能であり、前記通知に示される少なくとも1つのユーザ制御のワイヤレス・デバイス資産による使用のために広告をワイヤレス・デバイスに提供するように操作可能である。
【００２０】
ネットワーク・デバイスのある態様において、広告モジュールは、ワイヤレス・デバイスのユーザが、1つまたは複数の示されたワイヤレス・デバイス資産のためにユーザ制御の状態から広告制御の状態への制御状態変更を実装することを可能にするように操作可能な資産制御状態変更要求をワイヤレス・デバイスに提供するようにさらに操作可能であってもよい。ネットワーク・デバイスの他の態様において、前記広告モジュールは、広告パラメータを含む通知を受信するようにさらに操作可能である。前記広告パラメータは、ユーザ決定のパラメータであって、少なくとも1つのユーザ制御のワイヤレス・デバイス資産のために受け入れ可能な広告を規定するパラメータであってもよい。
【００２１】
ネットワーク・デバイスのいくつかの態様において、前記広告モジュールは、ユーザ指定のワイヤレス・デバイス資産が呼び出し音であることを示す通知を受信するようにさらに操作可能である。そのような態様において、前記呼び出し音は、先在のワイヤレス・デバイス呼び出し音の代わりに実行されるように操作可能である広告呼び出し音置換え、先在のワイヤレス・デバイス呼び出し音の実行と一緒にワイヤレス・デバイス上で視覚的にディスプレイされるように操作可能である視覚的広告、またはワイヤレス・デバイス呼び出し音の実行の間に周期的に挿入されるように操作可能である広告呼び出し音挿入であってもよい。
【００２２】
ネットワーク・デバイスの他の態様において、前記広告モジュールは、ユーザ指定のワイヤレス・デバイス資産が壁紙であることを示す通知を受信するようにさらに操作可能である。そのような態様において、前記壁紙は、先在のワイヤレス・デバイス壁紙の代わりにワイヤレス・デバイス上でディスプレイされるように操作可能である広告壁紙置換え、または先在のワイヤレス・デバイス壁紙と一緒にワイヤレス・デバイス上でディスプレイされるように操作可能である壁紙広告オーバーレイであってもよい。
【００２３】
ネットワーク・デバイスのさらなる態様において、前記広告モジュールは、ユーザ指定のデバイス資産がワイヤレス・デバイス・メモリの一部であることを示す通知を受信するようにさらに操作可能である。そのような態様において、前記広告は、ワイヤレス・デバイス・メモリの一部のサイズよりも少ないまたは等しい集合的サイズを有する任意のオーディオ、ビデオ、および／またはマルチメディア広告であってもよい。
【００２４】
さらに他の態様は、ワイヤレス・デバイス資産のユーザ実行の制御状態変更のための方法によって規定される。前記方法は、1つまたは複数のユーザ指定のワイヤレス・デバイス資産のためにユーザ制御の状態から広告制御の状態へのユーザ実装の制御状態変更の通知を提供すること、および前記通知に応答して、1つまたは複数のワイヤレス・デバイス資産と関連する1つまたは複数の広告を受信することを含む。前記方法は、所定の期間の間、1つまたは複数のワイヤレス・デバイス資産と関連する広告を実行することを追加的に含む。
【００２５】
いくつかの態様において、前記方法は、前記通知を提供することに先立って、ユーザ制御の状態から広告制御の状態へ少なくとも1つのワイヤレス・デバイス資産の制御状態を変更せよとの要求を受信することを追加的に含むことができる。そのような態様において、前記要求は、1つまたは複数のワイヤレス・デバイス資産のためにユーザ制御の状態から広告制御の状態へ制御状態を変更することに同意することに対してユーザを補償するためのオファーをさらに含むことができる。前記要求は、少なくとも1つのユーザ制御のワイヤレス・デバイス資産のために受け入れ可能な広告を規定する広告パラメータを指定することをユーザにさらに提供することができる。そのように、前記通知は、少なくとも1つのユーザ制御のワイヤレス・デバイス資産のために受け入れ可能な広告を規定するユーザ決定の広告パラメータをさらに提供することができる。
【００２６】
前記方法のいくつかの態様において、提供される通知は、制御状態変更のためのユーザ決定の期間をさらに含むことができる。制御状態変更のためのユーザ決定期間は、識別された1つの資産または複数の資産が広告制御の下にあるところの指定期間をユーザに提供する。
【００２７】
前記方法の1つの態様において、前記通知を提供することは、呼び出し音として規定されるワイヤレス・デバイス資産のためにユーザ制御の状態から広告制御の状態へのユーザ実装の制御状態変更の通知を提供することをさらに含む。そのような態様において、受信される呼び出し音広告は、前記通知に応答して、先在の呼び出し音の間に周期的に実行されるように操作可能な呼び出し音広告挿入、先在の呼び出し音と一緒にディスプレイされるように操作可能な視覚的広告、または先在の呼び出し音の代わりに実行されるように操作可能な呼び出し音広告置換えのうちの少なくとも1つを含むことができる。
【００２８】
前記方法の他の態様において、通知を提供することは、壁紙として規定されるワイヤレス・デバイス資産のためにユーザ制御の状態から広告制御の状態へのユーザ実装の制御状態変更の通知を提供することをさらに含む。そのような態様において、受信される壁紙広告は、前記通知に応答して、先在の壁紙と一緒にディスプレイされるように操作可能な壁紙広告オーバーレイ、または先在の壁紙の代わりにディスプレイされるように操作可能な壁紙広告置換えのうちの少なくとも1つを含むことができる。
【００２９】
さらに前記方法の他の態様において、通知を提供することは、ワイヤレス・デバイス・メモリの一部として規定されるワイヤレス・デバイス資産のためにユーザ制御の状態から広告制御の状態へのユーザ実装の制御状態変更の通知を提供することをさらに含む。そのような態様において、前記通知に応答して、受信される広告は、広告の集合サイズがワイヤレス・デバイス・メモリの一部のサイズよりも少ないまたは等しくなるようにオーディオ広告、ビデオ広告および／またはメディア広告のうちの少なくとも1つを含むことができる。
【００３０】
関係する態様は、広告割り当てのためのワイヤレス・デバイス資産のユーザ指定を提供し、指定の資産に広告を提供するように構成されている少なくとも1つのプロセッサにより提供される。前記プロセッサは、1つまたは複数のユーザ指定のワイヤレス・デバイス資産にユーザ制御の状態から広告制御の状態へのユーザ実装の制御状態変更の通知を提供するための第一の方法を含む。前記プロセッサは、前記通知に応答して、1つまたは複数のワイヤレス・デバイス資産と関連する1つまたは複数の広告を受信するための第2のモジュールと、および所定の期間の間、1つまたは複数のワイヤレス・デバイス資産と関連する広告を実行するための第3のモジュールとを追加的に含む。
【００３１】
さらなる関係する態様は、コンピュータ可読媒体を含むコンピュータ・プログラム・プロダクトによって規定される。前記媒体は、1つまたは複数のユーザ指定のワイヤレス・デバイス資産にユーザ制御の状態から広告制御の状態へのユーザ実装の制御状態変更の通知をコンピュータにさせるための少なくとも1つの命令を含む。前記媒体は、前記通知に応答して、1つまたは複数のワイヤレス・デバイス資産と関連する1つまたは複数の広告を受信することをコンピュータにさせるための少なくとも1つの命令と、および所定の期間の間、1つまたは複数のワイヤレス・デバイスと関連する広告を実行することをコンピュータにさせるための少なくとも1つの命令とを追加的に含む。
【００３２】
さらに他の関係する態様は、ワイヤレス・デバイス装置により提供される。前記装置は、1つまたは複数のユーザ指定のワイヤレス・デバイス資産にユーザ制御の状態から広告制御の状態へのユーザ実装の制御状態変更の通知を提供するための方法を含む。前記装置は、前記通知に応答して、1つまたは複数のワイヤレス・デバイス資産と関連する1つまたは複数の広告を受信するための手段と、所定の期間の間、1つまたは複数のワイヤレス・デバイス資産と関連する広告を実行するための手段とを追加的に含む。
【００３３】
ワイヤレス・デバイス資産のユーザ制御のために構成されているワイヤレス・デバイスは、さらなる態様を規定する。前記ワイヤレス・デバイスは、少なくとも1つのプロセッサおよびメモリを含むコンピュータ・プラットフォームを含む。前記ワイヤレス・デバイスは、メモリに記憶され、少なくとも1つのプロセッサによって実行可能な資産制御モジュールをさらに含む。前記資産制御モジュールは、ユーザ入力に基づいて、ユーザ制御の状態から広告制御の状態への1つまたは複数のワイヤレス・デバイス資産の制御状態における変更のネットワーク・エンティティを通知するように操作可能である。前記ワイヤレス・デバイスは、メモリに含まれ、制御状態における変更に応答して、1つまたは複数のワイヤレス・デバイス資産と関連する1つまたは複数の広告を受信するように操作可能である広告記憶装置、およびメモリに記憶され、少なくとも1つのプロセッサによって実行可能な広告実行装置をさらに含むワイヤレス・デバイスであって、前記資産広告実行装置は、所定の期間の間、1つまたは複数のユーザ指定のワイヤレス・デバイス資産と関連する1つまたは複数の広告を実行するように操作可能である。
【００３４】
したがって、本件態様は、呼び出し音、壁紙、ワイヤレス・デバイス・メモリなどのようなユーザ制御のワイヤレス・デバイス資産および／または特徴上で提示されるコンテンツを制御するためのシステム、方法、および装置を提供する。本件態様において、ユーザ制御の状態から広告制御の状態へのユーザ要求の制御状態変更を実装することは、ワイヤレス・デバイス資産において提示されるまたは記憶されるコンテンツを制御する。これに関係して、広告主または広告プロバイに対してワイヤレス・デバイス資産の制御をユーザがいったん容認すると、広告主は、所定の期間の間、指定のワイヤレス・デバイスに広告を提供することが可能となる。広告主または広告プロバイダの見地から、本件態様は、新しいプラットフォーム上で提示されるべき広告を提供する。追加的に、ワイヤレス・デバイス資産上での制御を得ることによって、広告主または広告プロバイダは、彼らの広告が制御期間の間に確実に実行されることが保証される。
【図面の簡単な説明】
【００３５】
本件開示の態様は、添付の図面と一緒に以下で説明され、本件開示の態様を限定するのではなく例示する目的で提供される。図において、同様の指定記号は、同様のエレメントを表わしている。
【図１】図1は、ある態様にしたがって、ワイヤレス・デバイス資産上でコンテンツを制御するためのシステムの回路図である。
【図２】図2は、ある態様にしたがって、ワイヤレス・デバイス資産上でコンテンツを制御するためのシステムのブロック図である。
【図３】図3は、ある態様にしたがって、ワイヤレス・デバイス資産上でコンテンツを制御するように操作可能なワイヤレス・デバイスのブロック図である。
【図４】図4は、さらなる態様にしたがって、広告制御として指定されたワイヤレス・デバイス資産に広告を提供するように操作可能なネットワーク・デバイスのブロック図である。
【図５】図5は、ある態様にしたがって、ワイヤレス・デバイス資産に広告を提供するための例示的通信ネットワークのブロック図である。
【図６】図6は、ある態様にしたがって、１つまたは複数のワイヤレス・デバイス資産のために制御状態における変更のネットワーク・エンティティを通知するための方法のフロー図である。
【図７】図7は、他の態様にしたがって、制御状態における変更に基づいてワイヤレス・デバイス資産に広告を提供するための方法のフロー図である。
【発明の詳細な説明】
【００３６】
これから本件デバイス、装置、方法、コンピュータ可読媒体、およびプロセッサが、本件発明の態様が図示されている添付の図面を参照して以下でより十分に説明される。しかしながら、前記デバイス、装置、方法、コンピュータ可読媒体、およびプロセッサは、多くの異なる形式で具体化されるべきであって、本件明細書に述べられる態様に限定されるよう解釈されるべきではない。むしろ、これらの態様は、本件開示が完璧かつ完全となるよう、および本件発明の範囲を当業者に十分に伝達するように提供されている。本件明細書の全体にわたって同様の数字は、同様のエレメントをさしている。
【００３７】
本件明細書において説明される様々な態様は、ワイヤレス通信デバイスに関係している。ワイヤレス通信デバイスはまた、加入者局、加入者ユニット、モバイル局、遠隔局、アクセスポイント、遠隔端末、アクセス端末、ユーザ端末、ユーザエージェント、ユーザデバイス、またはユーザ設備と呼ばれてもよい。加入者局は、セルラー電話、コードレス電話、セッション開始プロトコル（SIP）電話、ワイヤレスローカルループ（WLL）局、携帯情報端末（PDA）、ワイヤレス接続能力を有するハンドヘルドデバイス、またはワイヤレスモデムに接続される他の処理デバイスであってもよい。
【００３８】
本件明細書において開示される態様のために、以下の用語が定義される。用語の定義は本件明細書において開示されるいかなる態様をも限定するものとして解釈されるべきではないことが留意されるべきである。
【００３９】
広告主および広告プロバイダ＝ワイヤレス・デバイス上で広告コンテンツを置くおよび／または提示することを望むエンティティ。
【００４０】
メディア・コンテンツ・オペレータ＝ワイヤレス・デバイス上でメディア・コンテンツの配信および提示を提供するエンティティ。
【００４１】
ワイヤレス・デバイス・ユーザ＝一般にワイヤレス・デバイスを所有しているまたはそうでなければワイヤレス・デバイスを操作する個人または個人のグループ。
【００４２】
ワイヤレス・デバイス資産＝ワイヤレス・デバイスと関連し、ディスプレイ壁紙、オーディオ呼び出し音、視覚的呼び出し音、マルチメディア呼び出し音、メモリなどのような広告を記憶、提示または実行することができる任意のユーザ制御の特徴、アプリケーションまたはメカニズム。
【００４３】
本件態様は、ユーザ制御のコンテンツのための方法、システム、装置、およびコンピュータ・プログラム・プロダクトを提供し、特に、ワイヤレス・デバイス資産および／または特徴上で提示される広告コンテンツを提供する。本件態様において、ユーザ制御の状態から広告制御状態へのユーザ要求の制御状態変更を実装することは、ワイヤレス・デバイス資産内でまたはワイヤレス・デバイス資産上で提示されるまたは記憶されるコンテンツを制御する。これに関係して、ユーザが広告主または広告プロバイダに対してワイヤレス・デバイス資産の制御をいったん容認すると、広告主は、所定の期間の間、指定のワイヤレス・デバイス資産に広告を提供することができる。
【００４４】
追加的に、本件態様は、どのタイプの広告が指定のワイヤレス・デバイス資産または特徴と関連させられ得るか、または広告主が特定の制御指定に提供され得る制御の量および／またはタイプを、ワイヤレス・デバイスのユーザが選ぶまたはそうでなければ指定することを提供してもよい。
【００４５】
そのように、本件態様は、例えば、呼び出し音広告、壁紙広告などのような広告をワイヤレス・デバイス上で提示する固有の手段を広告主および／または広告プロバイダに提供する。加えて、本件態様は、広告主または広告プロバイダが所定の期間の間ユーザの資産に対して利得制御をすることを可能にするので、広告が制御期間の間にわたって最大の露出／再生を維持することを確実なものにする。
【００４６】
図1は、本件態様にしたがって、呼び出し音、壁紙、メモリなどのようなワイヤレス・デバイス資産のユーザ実装の制御のためのワイヤレス・デバイス資産制御システム10の上位レベルの概略図を提供する。システム10は、配信されたコンピュータ・ネットワークにおいて実装されるネットワーク・エンティティ12を含み、1つまたは複数のネットワーク・デバイスおよび関連するデータベースを具備することができる。ネットワーク・エンティティ12は、1つまたは複数の広告主または広告プロバイダ14とネットワーク通信状態にある。複数の態様にしたがって、広告主または広告プロバイダ14は、ワイヤレス・デバイス資産上で広告コンテンツを提示および／または記憶する目的のために、メモリ、呼び出し音、壁紙、アプリケーションなどのようなワイヤレス・デバイス資産の利得制御をすることを望み得る。
【００４７】
ネットワーク・エンティティ12は、1つまたは複数のワイヤレス・デバイス16と追加的にネットワーク通信状態にある。ワイヤレス・デバイス16は、ユーザ制御の状態から広告制御状態に1つまたは複数のワイヤレス・デバイス資産の制御状態を変更し、状態変更の通知によりネットワーク・エンティティ12を提供するよう操作可能であるように構成されている。状態変更に応答して、ネットワーク・エンティティ12は、広告プロバイダ14を通じて、ユーザ指定の広告制御のワイヤレス・デバイス資産のためにワイヤレス・デバイスへの広告の通信を円滑にすることができ、または当該広告がワイヤレス・デバイスに既に記憶されているまたはそうでなければワイヤレス・デバイスにとってアクセス可能である事例において、ワイヤレス・デバイス資産上で当該広告にアクセスするためおよび／または実行するために必要な許可を与えることができる。
【００４８】
いくつかの態様において、ユーザ制御から広告制御へのワイヤレス・デバイス資産状態変更は、ネットワーク・エンティティ12から1つまたは複数のワイヤレス・デバイス16へ送られる資産状態変更要求によって突然引き起こされ得る。ユーザが広告制御として1つまたは複数のワイヤレス・デバイス資産を指定することを選んだ場合、要求は、1つまたは複数の適用可能な補償スキームを含むことができる。補償スキームは、次のものに限られないが、無料ワイヤレス・ネットワーク・サービス、低減されたレート・ワイヤレス・ネットワーク・サービス、ワイヤレス・デバイスのコストの低額などを含む任意の既知のまたは将来知られる補償スキームであってもよい。補償スキームは、ワイヤレス・デバイス資産の制御状態をユーザ制御の状態から広告制御の状態に変更するようにユーザを誘うよう動作する。
【００４９】
図2は、ある態様にしたがって、ユーザ制御の状態から広告制御の状態にワイヤレス・デバイス資産の制御状態を変更し、変更のネットワーク・エンティティを通知し、指定のワイヤレス・デバイス資産に広告を提供するためのシステム10のブロック図を提供する。システム10は、サーバーなどのような1つまたは複数のネットワーク・デバイス20および対応するデータベース22を含むネットワーク・エンティティ12を含む。理解しやすいように、図2に図示されているネットワーク・エンティティ12は、単一のネットワーク・デバイス20およびデータベース22に限定されているが、ある態様は、複数のネットワーク・デバイス20および／またはデータベース22を含んでもよい。追加的に、データベース22は、別々のエンティティであってもよく、またはそれらは、1つまたは複数のネットワーク・デバイス20のうちのいずれかの内に含まれるデータベースであってもよい。ネットワーク・デバイスは、複数の計算デバイス24と有線またはワイヤレスのいずれかによる通信状態にある。ここにおいて、各計算デバイスは、広告主または広告プロバイダ14（図2に図示されていない）に制御されている。計算デバイス24は、広告プロバイダがワイヤレス・デバイス資産に提供することを望む広告を記憶する広告データベース26と通信状態にある。追加的に、ネットワーク・デバイス20は、ワイヤレス・デバイス16と通信状態（一般的に少なくとも部分的にワイヤレス通信状態）にある。ここにおいて、各ワイヤレス・デバイスは、ユーザ（図2に図示されていない）に制御されている。
【００５０】
各ワイヤレス・デバイス16は、少なくとも1つのプロセッサ30およびメモリ32を有するコンピュータ・プラットフォーム28を含む。メモリ32は、広告の提示または広告の記憶のいずれかをするよう操作可能である1つまたは複数のワイヤレス・デバイス資産34を含む。例えば、ワイヤレス・デバイス資産は、次のものに限られないが、セルラー呼び出し特徴と関連する呼び出し音、デバイス上でディスプレイされる壁紙、またはデバイスのメモリ容量の一部分を含んでもよい。各ワイヤレス・デバイス資産は、ユーザ制御の状態36および広告制御の状態38を可能にするよう構成されていてもよい。代替的に、ユーザ制御の状態36および広告制御の状態38は、ワイヤレス・デバイス資産に対して外部的に制御されることができる。例えば、ワイヤレス・デバイス資産制御モジュール40は、ワイヤレス・デバイス資産の状態を操作可能的に制御するように構成されていてもよい。
【００５１】
慣例的に、呼び出し音、壁紙およびメモリスペースなどのようなワイヤレス・デバイス資産は、デバイス・ユーザによって制御されている。しかしながら、本件態様は、広告制御のために1つまたは複数のワイヤレス・デバイス資産をユーザが選ぶまたはそうでなければ指定することを提供する。そのような態様において、ユーザは、所定の期間の間、資産に対する制御を放棄し、広告主または広告プロバイダは、その所定の期間の間、資産の制御を得る。これに関係して、広告主または広告プロバイダは、所定の期間の間、指定されたワイヤレス・デバイス資産に広告を提供および／または提示することができる。
【００５２】
ワイヤレス・デバイス16のメモリ32は、1つまたは複数のワイヤレス・デバイス資産がユーザ制御の状態から広告制御の状態へのユーザ実装の制御状態変更を経験したことを示す通知42をネットワーク・エンティティ12に提供するように操作可能であるワイヤレス・デバイス資産制御モジュール40を追加的に含む。追加的に、前に注目したように、ユーザがユーザ制御から広告制御へのワイヤレス・デバイス資産制御の状態の変更を実装するとき、制御モジュール・レベルで変更が生じ、資産の通常のユーザ制御に取って代わるように、ワイヤレス・デバイス資産制御モジュール40は、ワイヤレス・デバイス資産の状態を操作可能的に制御すべく構成されている。
【００５３】
ワイヤレス・デバイス16のメモリ32は、指定の広告制御のワイヤレス・デバイス資産と関連する広告46を受信および記憶するように操作可能な広告記憶装置44を追加的に含む。指定の広告制御のワイヤレス・デバイス態様が、呼び出し音、壁紙または任意の他のオーディオ、ビデオまたはマルチメディア・アプリケーションまたは特徴のような広告を提示するためのアプリケーションまたは特徴である事例において、広告記憶装置は、指定の資産上での提示のために構成されている広告46を受信および記憶するだろう。指定の広告制御のワイヤレス・デバイス資産がメモリの一部である事例において、広告記憶装置44は、広告のために指定されたメモリ容量の割り当てられた部分まで、オーディオ、ビデオ、またはマルチメディア広告のような任意のタイプの広告を受信および記憶するように構成されている。
【００５４】
ワイヤレス・デバイス16のメモリ32は、指定の広告制御のワイヤレス・デバイス資産と関連する広告46を実行するように操作可能な広告実行装置48を追加的に含む。例えば、資産が呼び出し音である事例において、広告実行装置48は、所定の時間の間、デバイスが呼び出される度にまたは広告主および／またはユーザの指令するところにしたがって、現在のユーザ選択の呼び出し音の代わりかまたはそれと一緒かのいずれかで広告呼び出し音を再生するように操作可能である。他の例において、資産が壁紙である場合、広告実行装置48は、所定の時間の間または広告主および／またはユーザの指令するところにしたがって、現在のユーザ選択の呼び出し音の代わりかまたはそれと一緒かのいずれかで広告壁紙をディスプレイするように操作可能である。さらなる例において、資産がメモリの一部である場合、広告実行装置48は、所定の時間の間または広告主および／またはユーザの指令するところにしたがって、ブロードキャスト／マルチキャスト・プログラミング・アプリ―ケーションなどのようなアプリケーションの指令するところにしたがって広告を提示するように操作可能である。
【００５５】
各ネットワーク・デバイス20は、プロセッサ52およびメモリ54を有するコンピュータ・プラットフォーム50を含む。メモリ54は、プロセッサ52によって実行可能であり、1つまたは複数のワイヤレス・デバイス資産がユーザ制御の状態から広告制御の状態への状態制御変更のためにユーザ指定されていることを示す通知42をワイヤレス・デバイスから受信するように操作可能な広告モジュール56を含む。通知42の受信に応答して、広告モジュール56は、広告を提供し、またはそうでなければ指定の広告制御のワイヤレス・デバイス資産と関連させられている広告を実行するためのアクセスまたは許可をワイヤレス・デバイス16に与える。
【００５６】
代替的な態様において、下記で議論されるように、広告モジュールは、1つまたは複数のワイヤレス・デバイス資産の制御状態を変更するための要求をワイヤレス・デバイスに送るように操作可能であるべく構成されていてもよい。それらの態様において、前記要求は、ユーザ制御の状態から広告制御の状態へ制御状態を変更することに同意することに対してデバイスのユーザを補償するように操作可能な1つまたは複数の補償スキームを含むことができる。
【００５７】
1つの態様において、ネットワーク・エンティティ12のデータベース22は、広告46を記憶し、制御状態変更の通知に基づいてワイヤレス・デバイスに広告46を提供するように操作可能な広告記憶装置58を含むことができる。代替的に、広告の態様は、広告主または広告プロバイダ14と関連する広告データベース26において記憶されることができる。そのような態様において、ネットワーク14は、ワイヤレス・デバイスがユーザ指定の制御状態変更を経験したという通知に基づいてデータベース26から広告46を検索するために広告主または広告プロバイダ14と通信することができる。
【００５８】
図3を参照して、1つの態様にしたがって、ユーザ制御から広告制御へのワイヤレス・デバイス資産の制御状態変更を提供するように操作可能なワイヤレス・デバイス16の詳細なブロック図の表示が図示されている。ワイヤレス・デバイス16は、セルラー電話、携帯情報端末（PDA）、双方向テキストページャー、ポータブル・コンピュータ、およびワイヤレス通信ポータルを有していてネットワークまたはインターネットにワイヤレス接続を有し得る別個のコンピュータ・プラットフォームのようなリアルタイムのストリーミング・ブロードキャスト・コンテンツを受信するように構成されている、任意のタイプの計算機化通信デバイスを含んでもよい。ワイヤレス・デバイスは、遠隔スレーブ、または他のデバイスであって、特定のエンドユーザを有していないが、ワイヤレス・ネットワークにわたってデータを単純に通信するデバイス、例えば、遠隔センサー、診断ツール、データ中継などであってもよい。したがって、広告挿入通知を受信し、前記通知にしたがってリアルタイム・ストリーミング・メディア・コンテンツに広告を挿入するための本件装置および方法は、ワイヤレス通信ポータルを含む任意の形式のワイヤレス・デバイスまたはワイヤレス・コンピュータ・モジュール上でしかるべく実施されることが可能となるところ、前記ワイヤレス通信ポータルには、次のものには限られないが、ワイヤレスモデム、PCMCIAカード、アクセス端末、デスクトップコンピュータまたはこれらの任意の組み合わせまたは部分的組み合わせが含まれる。
【００５９】
ワイヤレス・デバイス12は、ワイヤレス・ネットワークにわたってデータを送信することができ、ルーチンおよびアプリケーションを受信し、実行することができる計算プラットフォーム28を含む。コンピュータ・プラットフォーム28は、読み出し専用および／またはランダム・アクセス・メモリ（RAMおよびROM）、EPROM、EEPROM、フラッシュカード、またはコンピュータ・プラットフォームに共通の任意のメモリのような発揮性および非発揮性メモリを具備してもよいメモリ32を含む。さらに、メモリ32は、1つまたは複数のフラッシュメモリセルを含んでもよく、または磁気メディア、光メディア、テープ、またはソフトまたはハード・ディスクのような任意の２次または３次の記憶デバイスであってもよい。
【００６０】
さらに、コンピュータ・プラットフォーム28はまた、特定集積回路（ASIC）、または他のチップセット、プロセッサ、論理回路、または他のデータ処理デバイスであってもよい少なくとも１つのプロセッサ30を含む。プロセッサ30またはASICのような他のプロセッサは、ワイヤレス・デバイス16のメモリ32に記憶されるワイヤレス・デバイス資産制御モジュール40および広告実行装置48のような任意の常駐プログラムとインターフェースするアプリケーション・プログラミング・インターフェース（API）層100を実行してもよい。API100は、典型的に、それぞれのワイヤレス・デバイス上で実行するランタイム環境である。そのようなランタイム環境の１つは、カリフォルニア、サンディエゴにあるQualcomm社によって開発されたBinary Routime Environment for Wireless（商標登録）（BREW（商標登録））ソフトウェアである。例えば、ワイヤレス計算デバイス上でアプリケーションの実行を制御するように作動する他のランタイム環境が利用されてもよい。
【００６１】
プロセッサ30は、ワイヤレス・デバイス12の機能性およびワイヤレス・ネットワーク上のデバイスの操作可能性を可能にするハードウェア、ファームウェア、ソフトウェア、およびこれらの組み合わせに組み込まれる様々な処理サブシステム102を含む。例えば、処理サブシステム102は、他のネットワーク・デバイスとの通信の開始および維持、およびデータ交換を可能にする。通信デバイスがセルラー電話として定義される態様において、通信プロセッサ30は、音、非発揮性メモリ、ファイルシステム、送信、受信、検索器、層１、層２、層３、メイン制御、遠隔手順、ハンドセット、電力管理、デジタル信号プロセッサ、メッセージング、呼び出し管理、ブルートゥース（商標登録）システム、ブルートゥース（商標登録）LPOS、ポジションエンジン、ユーザインターフェース、スリープ、データサービス、セキュリティ、認証、USIM／SIM、音声サービス、グラフィック、USB、MPEGのようなマルチメディア、GPRSなど（これらすべては、明確性のために図2には個別に図示されていない）のような処理サブシステム102またはその組み合わせを追加的に含んでもよい。開示される態様について、プロセッサ30の処理サブシステム102は、ワイヤレス・デバイス資産制御モジュール40と相互作用する任意のサブシステム構成要素を含んでもよい。加えて、いくつかの態様において、ワイヤレス・デバイス資産34の１つまたは複数は、メモリ32に在る別個のアプリケーションとは対照的に、処理サブシステム102として構成されていてもよい。
【００６２】
計算プラットフォーム28は、ワイヤレス・ネットワーク通信を受信および送信するように操作可能であり、およびそういうものとして、制御状態の変更を示す通知42をネットワーク・エンティティに送信するように操作可能な通信モジュール104を追加的に含む。代替的な態様において、通信モジュール104は、１つまたは複数の資産の制御状態を広告制御の状態に変更せよとの要求をネットワーク・エンティティから受信するように追加的に操作可能であってもよい。
【００６３】
メモリ32は、広告を提示するかまたは広告を記憶するかのいずれかをするように操作可能である１つまたは複数のワイヤレス・デバイス資産34を含んでもよい。前に注目したように、ワイヤレス・デバイス資産は、処理サブシステム102として選択的に提供されてもよい。例えば、ワイヤレス・デバイス資産は、次のものに限られないが、セルラー呼び出し特徴と関連する呼び出し音アプリケーション資産106、背景としてデバイス上にイメージのディスプレイを提供する壁紙アプリケーション資産108、またはデバイスのメモリ容量の割り当て部分を提供するメモリ割り当て資産110を含んでもよい。追加的に、広告を提示または記憶することができる他のワイヤレス・デバイス資産アプリケーション、デバイスまたは特徴112もまた含まれてもよい。各ワイヤレス・デバイス資産は、ユーザ制御の状態36および広告制御の状態38を可能にするように構成されていてもよい。代替的に、ユーザ制御の状態36および広告制御の状態38は、ワイヤレス・デバイス資産の外部から制御されてもよい。例えば、ワイヤレス・デバイス資産制御モジュール40は、ワイヤレス・デバイス資産34の状態を操作可能的に制御するように構成されていてもよい。
【００６４】
ワイヤレス・デバイス16のメモリ32は、１つまたは複数のワイヤレス・デバイス資産がユーザ制御の状態から広告制御の状態へのユーザ実装の制御状態変更を経験したことを示す通知42をネットワーク・エンティティ12に提供するように操作可能であるワイヤレス・デバイス資産制御モジュール40を追加的に含む。追加的に、前に注目したように、ユーザが、ユーザ制御から広告制御へのワイヤレス・デバイス資産制御状態の変更を実装するとき前記変更が制御モジュール・レベルにおいて生じ、資産の通常のユーザ制御に取って代わるように、ワイヤレス・デバイス資産制御モジュール40は、ワイヤレス・デバイス資産の状態を操作可能的に制御すべく構成されている。
【００６５】
ネットワーク・エンティティに送られる通知42は、指定の資産上で提示されるまたは記憶されることができる広告に対して１つまたは複数の制限を置くユーザ識別パラメータのような広告パラメータ114を追加的に含んでもよい。例えば、パラメータは、広告制御の資産上で提示されるまたは記憶されることができる広告のタイプを指定することができる。追加的に、パラメータ114は、広告制御の資産上でいつまたはどこで広告が提示されることができるのかに対して制限および／または限定を置くことができる。例えば、デバイスが指定のエリアに位置されているときにのみ広告が資産上で提示されるように、ユーザは、家でまたは小売店の近傍内のようなある位置に制限されるよう資産の制御を特定することができる。他の例において、広告が週末またはある特定の時間の間のみ提示されるように、ユーザは、資産の制御を週末または夜間に制限されるように指定することができる。他の態様において、通知42に含まれる広告パラメータ114は、指定の広告制御の資産にどの広告を提供するかを決定するときに、どのタイプの広告がワイヤレス・デバイスのユーザに興味を持たれるかを決定することにおいてネットワークを支援するユーザプロフィールタイプ情報を含んでもよい。この事例において、ユーザプロフィール情報は、ワイヤレス・デバイスについての広告制御の指定と一緒に提供されるユーザ入力に基づいてもよく、またはユーザプロフィール情報は、ワイヤレス・デバイスのユーザに知られていないワイヤレス・デバイス上の現在の情報から編集されることができる。
【００６６】
ワイヤレス・デバイス資産制御モジュール40は、ユーザ制御の状態から広告制御の状態へ１つまたは複数の資産の制御状態を変更せよとの要求116をネットワーク・エンティティから受信するようにさらに操作可能であってもよい。要求116は、ユーザ制御状態から広告制御状態へワイヤレス・デバイス資産の制御状態を変更することに加わることに同意するようにユーザを誘うよう機能する補償スキームを含むことができる。例えば、補償スキームは、次のものに限られないが、ワイヤレス・サービス時間、ワイヤレス・サービスレートにおける低減、ワイヤレス・デバイス・アプリケーションなどを含むことができる。代替的な態様において、資産制御モジュール40が資産の広告制御を要求するユーザに周期的に問い合わせるか、または各資産のための設定メカニズムにおけるように、資産が制御状態の変更を提供するように構成されていることができるように、ワイヤレス・デバイスは、製造物またはサービスのプロバイダのレベルにおいて予め構成されていることができる。追加的に、これらの代替的な態様において、デバイスおよび／または資産は、広告制御の要求と共に１つまたは複数の補償スキームをユーザに提示するように構成されていることができる。
【００６７】
他の代替的な態様において、ある資産が、デバイスまたはサービス契約の寿命の間または所定のまたはそうでなければ販売人とデバイス／サービス購入者との間で同意された期間の間、広告制御として指定されるように、デバイスは、デバイスの販売時点および／またはワイヤレス・サービスのためのサービス契約の時点で構成されていることができる。この態様において、一般に、販売時点またはサービス契約時点において資産の制御を放棄するという広告主に対する同意は、ワイヤレス・デバイスのコストの低減および／またはワイヤレス・サービスレートの低減の形式でユーザに補償を提供する。この態様において、ネットワーク・エンティティへの制御状態における変更の通知は、ワイヤレス・ネットワークにわたってネットワーク・エンティティに通知を通信するのではなくて、本人みずからまたは同様の手段で、手動的に提供されることができる。
【００６８】
したがって、デバイスまたは資産が制御状態変更を提供するように予め構成されている代替的態様、またはデバイスが販売時点またはサービス契約においてワイヤレス・デバイス資産の広告制御のために構成されている代替的態様において、１つまたは複数の資産の広告制御を要求するネットワーク・エンティティからのワイヤレスの要求をワイヤレス・デバイスに提供する必要は無いかもしれない。
【００６９】
ワイヤレス・デバイス16のメモリ32は、指定の広告制御のワイヤレス・デバイス資産と関連する広告46を受信するおよび記憶するように操作可能な広告記憶装置44を追加的に含む。指定の広告制御のワイヤレス・デバイス態様が、呼び出し音、壁紙、または任意の他のオーディオ、ビデオまたはマルチメディア・アプリケーションまたは特徴のような広告を提示するためのアプリケーションまたは特徴である事例において、広告記憶装置は、指定の資産上での提示のために構成されている広告46を受信および記憶するだろう。広告46は、広告制御のために指定された期間と同時に起きる満了日を提供するタイムスタンプ118により構成されていてもよい。タイムスタンプ118と関連する満了日の発生は、指定のワイヤレス・デバイス資産上で広告が今後実行されおよび／または記憶されることはないという結果となる。ある態様において、タイムスタンプ118における満了日の発生は、広告がメモリから消去されるという結果となり得る。代替的に、資産の広告制御の状態が所定の期間の経過に基づいて期限が切れることを保証するために他の方法が使用されてもよい。例えば、所定の期間の経過に基づいて制御がユーザに戻るように、ワイヤレス・デバイス資産制御モジュール40は、広告制御期間の間、追跡およびモニタするようにさらに操作可能であることができる。
【００７０】
呼び出し音資産106は、先在の呼び出し音の代わりに実行されるように操作可能な呼び出し音広告置換えをサポートすることができる。例えば、呼び出し音広告置換えは、電話の音に限られ得るか、または歌詞を含み得る、製品またはサービスと関連する共通に識別可能な電話の音であってもよい。他の例において、呼び出し音資産は、先在の呼び出し音の実行の間に周期的に挿入されるように操作可能な呼び出し音広告挿入をサポートすることができる。例えば、製品またはサービスの名前またはキャッチフレーズは、先在の呼び出し音の全体にわたって周期的に挿入されることができる。さらなる例において、呼び出し音資産は、先在の呼び出し音と一緒にデバイス上で視覚的にディスプレイされるディスプレイ可能な広告をサポートすることができる。ディスプレイ可能な広告は、呼び出し音広告置換えまたは呼び出し音広告挿入と一緒にディスプレイされることができる。呼び出し音という用語は、呼び出しがデバイスに置かれるときに鳴る音に通常関連させられているのに対し、本件明細書における開示の目的の場合、呼び出し音は、広告のためにプラットフォームを提供することができるワイヤレス・デバイスによって鳴る任意の他の可聴のトーン、アラームまたは音を含むことができることも留意されるべきである。
【００７１】
壁紙資産108は、先在の壁紙の代わりにディスプレイされるように操作可能な壁紙広告置換えをサポートすることができる。他の例において、壁紙資産は、先在の壁紙の下に敷かれるまたは壁紙の上に重ねられるように操作可能な壁紙広告挿入をサポートすることができる。例えば、製品またはサービスの名前は、先在の壁紙の背景における繰り返しのパターンでディスプレイされることができる。壁紙という用語は、デバイスのデスクトップ上でディスプレイされる背景に通常関連させられているのに対し、本件明細書における開示の目的の場合、壁紙は、デバイス上でユーザ指定のイメージのディスプレイを提供する任意の他のアプリケーションを含んでもよいことが留意されるべきである。
【００７２】
メモリ資産110は、広告制御に割り当てられるメモリの量よりも少ないまたは等しい集合的なサイズを有する任意のビデオ、オーディオ、および／またはマルチメディア広告をサポートすることができる。
【００７３】
ワイヤレス・デバイス16のメモリ32は、指定の広告制御のワイヤレス・デバイス資産と関連する広告46を実行するように操作可能な広告実行装置48を追加的に含む。例えば、資産が呼び出し音である事例において、広告実行装置48は、所定の期間または広告主および／またはユーザの指令するところにしたがってある期間の間デバイスが呼び出される度に、現在のユーザ選択の呼び出し音の代わりもしくは一緒に広告呼び出し音を再生するように操作可能である。他の例において、資産が壁紙である場合、広告実行装置48は、所定の期間または広告主および／またはユーザの指令するところにしたがってある期間の間、現在のユーザ選択の呼び出し音の代わりもしくは一緒に広告壁紙をディスプレイするように操作可能である。さらなる例において、資産がメモリの一部である場合、広告実行装置48は、所定の期間または広告主および／またはユーザの指令するところにしたがってある期間の間、ブロードキャスト／マルチキャスト・プログラミング・アプリケーションなどのようなアプリケーションの指令するところにしたがって広告を提示するように操作可能である。
【００７４】
追加的に、広告実行装置48は、選択判断基準120としても知られている広告主または広告プロバイダ提示判断基準に基づいて、広告を提示するように操作可能であってもよい。提示判断基準は、特定の広告を提示する周期、広告を提示するための日／週／月の時間、広告を提示するためのワイヤレス・デバイス位置要求などを命ずることができる。提示判断基準120は、メタデータとして広告46内に含まれていることができるか、または提示判断基準は、ワイヤレス・デバイスに個別に通信されることができる。
【００７５】
追加的に、ワイヤレス・デバイス16は、通信デバイスへの入力を生成するための入力メカニズム122を有し、通信デバイスのユーザによる消費のための情報を生成するための出力メカニズム124を含む。例えば、入力メカニズム122は、キー、キーボード、マウス、タッチスクリーン・ディスプレイ、マイクロホンなどのようなメカニズムを含んでもよい。ある態様において、入力メカニズム122は、ユーザ制御の状態から広告制御の状態へワイヤレス・デバイス資産の制御状態を変更し、資産上で提示されることができる広告に関係する任意のパラメータを入力するためのユーザ入力を提供する。さらに、例えば、出力メカニズム124は、ディスプレイ、オーディオ・スピーカー、ハプティック・フィードバック・メカニズムなどを含んでもよい。例えば、１つまたは複数の出力メカニズムは、ディスプレイ、スピーカなどのようなワイヤレス・デバイス資産上で広告を提示するように操作可能であってもよい。追加的に、出力メカニズムは、状態を変更するためにワイヤレス・デバイス資産を選ぶためおよび資産状態を変更せよとの要求をディスプレイするためにインターフェースを提供する。
【００７６】
図4を参照して、他の態様にしたがって、広告制御状態を有するワイヤレス・デバイス資産に広告を提供するためのネットワーク・デバイスの詳細なブロック図が例示されている。ネットワーク・デバイス20は、任意のタイプのハードウェア、サーバー、パーソナル・コンピュータ、ミニ・コンピュータ、メインフレーム・コンピュータ、または特別目的または一般的計算デバイスのいずれかの任意の計算デバイスのうちの少なくとも１つを具備してもよい。さらに、ネットワーク・デバイス20上で作動されるまたは実行されているとして本件明細書において説明されたモジュールおよびアプリケーションは、ネットワーク・デバイス20上で全体的に実行されることができるか、または代替的に、他の態様において、別個のサーバーまたは計算デバイスは、当事者に使用可能な形式でデータを提供するために、および／またはワイヤレス・デバイス16およびモジュールおよびネットワーク・デバイス20によって実行されるアプリケーションの間のデータフローにおける制御の別々の層を提供するために協力して働くことができる。
【００７７】
ネットワーク・デバイス20は、有線またはワイヤレス・ネットワークにわたってデータを送信または受信することができ、ルーチンおよびアプリケーションを実行することができるコンピュータ・プラットフォーム50を含む。コンピュータ・プラットフォーム50は、読み出し専用および／またはランダム・アクセス・メモリ（RAMおよびROM）、EPROM、EEPROM、フラッシュカード、またはコンピュータ・プラットフォームに共通の任意のメモリのような発揮性および非発揮性メモリを具備してもよいメモリ54を含む。さらに、メモリ54は、１つまたは複数のフラッシュメモリセルを含んでもよく、または磁気メディア、光メディア、テープ、またはソフトまたはハード・ディスクのような任意の２次または３次の記憶デバイスであってもよい。
【００７８】
さらに、コンピュータ・プラットフォーム50はまた、特定用途集積回路（ASIC）、または他のチップセット、論理回路、または他のデータ処理デバイスであってもよいプロセッサ52を含む。プロセッサ52は、有線および／またはワイヤレス・ネットワーク上でネットワーク・デバイス20の機能性およびネットワーク・デバイスの操作性を可能にするハードウェア、ファームウェア、ソフトウェア、およびそれらの組み合わせを組み込む様々な処理サブシステム130を含む。例えば、処理サブシステム130は、他のネットワーク・デバイスとの通信およびデータの交換を開始および維持することが可能であってもよい。開示された態様について、プロセッサ52の処理サブシステム130は、広告モジュール36と相互作用する任意のサブシステム構成要素を含んでもよい。
【００７９】
コンピュータ・プラットフォーム50は、ネットワーク・デバイス20とワイヤレス・デバイス16との間だけでなくネットワーク・デバイス20の様々な構成要素の間で通信することができるハードウェア、ファームウェア、ソフトウェア、およびそれらの組み合わせに組み込まれる通信モジュール132をさらに含む。通信モジュール132は、ワイヤレス通信接続を確立するために必要なハードウェア、ファームウェア、ソフトウェア、および／またはそれらの組み合わせを含んでもよい。通信モジュール132は、１つまたは複数のワイヤレス・デバイス資産について広告制御状態への変更を示す通知42をワイヤレス・デバイス16から受信し、および関連する資産による実装のためにワイヤレス・デバイスに広告46を送信するように操作可能である。
【００８０】
ネットワーク・デバイス20のメモリ54はまた、プロセッサ52によって実行可能である広告モジュール56を含むことができる。モジュール56は、ユーザ制御の状態から広告制御状態へ１つまたは複数のワイヤレス・デバイス資産の状態を変更せよとの要求116を生成するように操作可能である状態変更要求生成器134としても知られている広告制御要求生成器を選択的に含むことができる。要求116は、状態変更へ参加するようユーザを誘うよう機能する１つまたは複数の補償スキーム136を含むことができる。次のものに限られないが、無料サービス時間、サービスレート低減などを含む任意の既知のまたは将来知られる補償スキームが使用されてもよい。要求116は、状態変更に関係する条件または限定をワイヤレス・デバイス・ユーザが選ぶまたは入力することを可能にするように操作可能なパラメータ入力フィールド138を追加的に含む。例えば、ユーザは、広告が資産上で提示されることができるところの時間および／または場所など、広告制御資産上で提示されることができる広告のタイプを制限するよう選ぶことができる。
【００８１】
広告モジュール56は、ワイヤレス・デバイス16から通知42を受信するように操作可能である通知受信機140を追加的に含む。前記通知は、ユーザ制御から広告制御への状態変更のために指定されている１つまたは複数のユーザ制御のワイヤレス・デバイス資産を示す。前記通知は、ユーザが状態変更を実装することに同意した期間142を選択的に含むことができる。追加的に、前記通知は、指定の資産上で提示または記憶されることができる広告に対して１つまたは複数の制約を置くユーザ識別パラメータのような広告パラメータ114を含むことができる。例えば、前記パラメータは、広告制御の資産上で提示または記憶されることができる広告のタイプを指定することができる。追加的に、パラメータ114は、広告制御の資産上でいつまたはどこで広告が提示されることができるのかについて制約および／または制限を置くことができる。他の態様において、通知42に含まれる広告パラメータ114は、指定の広告制御の資産にどの広告を提供するかを決定するときに、どのタイプの広告がワイヤレス・デバイスのユーザに興味を持たれるかを決定することにおいてネットワークを支援するユーザプロフィールタイプ情報を含むことができる。この事例において、ユーザプロフィール情報は、ワイヤレス・デバイスのための広告制御の指定と一緒に提供されるユーザ入力に基づいてもよく、またはユーザプロフィール情報は、ワイヤレス・デバイスのユーザに知られていないワイヤレス・デバイス上の現在の情報から編集されることができる。
【００８２】
広告モジュール56は、広告制御状態を現在割り当てられているワイヤレス・デバイス資産をログ記録および追跡する広告制御のワイヤレス・デバイス資産データベース126を追加的に含むことができる。現在割り当てられている資産を追跡することに加えて、そのデータベース126はまた、ワイヤレス・デバイス資産上で提供されることができる広告に対して置かれる任意の限定または条件の追跡も提供する。
【００８３】
追加的に、広告モジュール５６は、識別された資産および提示され得る広告に置かれる限定／条件に基づいて指定の広告制御の資産のために広告を選択するように操作可能な広告選択器１１８を含む。各個別の資産は、一般に、特定のタイプの広告と関連させられている。例えば、壁紙は、ビデオ／イメージ広告と関連させられており、呼び出し音は、オーディオ広告に関連させられているなどである。選択器１１８が広告をいったん識別すると、広告４６は、ローカル広告記憶装置１２０、他のネットワーク・エンティティベースの広告記憶装置５８、および／または広告主または広告プロバイダー・データベース２６から検索されることができる。いったん検索されると、広告４６は、ワイヤレス・デバイスと通信されることができる。代替的な態様において、ワイヤレス・デバイスは、広告を既に記憶しているまたはアクセスを有しているかもしれず、この場合、ネットワーク・デバイス２０は、選択された広告に通信する必要がないかもしれない。
【００８４】
図５を参照して、１つの態様において、ワイヤレス・デバイス１６は、セルラー電話を具備する。セルラー電話システム２００は、搬送波ネットワーク２０６を介して有線のネットワーク２０４に接続されるワイヤレス・ネットワーク２０２を含むことができる。ワイヤレス・デバイス１６は、増加された計算容量で製造されており、ワイヤレス・ネットワーク２０２上で音声およびデータを含むパケットをしばしば通信することができる。先に説明されたように、これらの「スマート」ワイヤレス・デバイス１６は、ソフトウェアデベロッパーが、セルラー電話１６上で作動するソフトウェア・アプリケーションを作成することを可能にするそれらのローカル・コンピュータ・プラットフォーム５０上に常駐するAPI１００を有し、デバイス上で特定の機能性を制御する。図５は、セルラー・ワイヤレス・ネットワークの構成要素および本件システムの１つの態様のエレメントの相互関係をより十分に例示する代表的な図である。セルラー・ワイヤレス・ネットワーク２００は、単なる例であり、ワイヤレス・デバイス１６のような遠隔モジュールが互いの間でおよび／または次のものに限られないが、ワイヤレス・ネットワーク搬送波および／またはサーバーを含むワイヤレス・ネットワーク２０２の構成要素の間で、無線で通信する任意のシステムを含むことができる。
【００８５】
システム２００において、同様の目的のネットワーク・デバイス２０は、別個のデータ収納２２と有線のネットワーク２０４（例えば、ローカル・エリア・ネットワーク、LAN）上で通信状態にあることができる。ネットワーク・デバイス２０およびデータ収納２２は、セルラー電話通信サービスを提供するために必要である任意の他のネットワーク構成要素によりセルラー電話システム２００上で提示されることができる。ネットワーク・デバイス１６は、データリンク２０８および２１０を通って搬送波ネットワーク２０６と通信する。データリンク208および210は、インターネット、安全なLAN、WAN、または他のネットワークのようなデータリンクであってもよい。搬送波ネットワーク２０６は、モバイル交換センター（MSC）２１２に送られるメッセージ（一般にデータパケットである）を制御する。さらに、搬送波ネットワーク２０６は、インターネットおよび／またはPOTS（plain old telephone service）のようなネットワーク２１０によってMSC２１２と通信する。典型的に、ネットワーク２１０において、ネットワークまたはインターネット部分は、データを伝送し、POTS部分は、音声情報を伝送する。MSC２１２は、データネットワークおよび／またはデータ伝送のためのインターネット部分および音声情報のためのPOTS部分のような他のネットワーク216によって複数の基地局（BTS）２１４に接続されることができる。BTS２１４は、SMS（short messaging service）、または他の無線の方法によってワイヤレス・デバイス１６のようなワイヤレス・デバイスにワイヤレスでメッセージを最終的に送信する。
【００８６】
図６は、ネットワーク・エンティティにおいてワイヤレス・デバイスから広告制御状態変更通知を受信し、デバイスと関連する資産のために広告を提供するための方法を図示するフロー図である。選択的なイベント３００において、ネットワーク・エンティティは、呼び出し音、壁紙、メモリなどのような少なくとも１つのユーザ制御のワイヤレス・デバイス資産の広告制御のための要求をワイヤレス・デバイスに提供する。前記要求は、ユーザが資産の制御状態を広告制御の状態へ変更することを選んだら、ワイヤレス・デバイスのユーザを補償するための１つまたは複数の補償スキームを含むことができる。他の態様において、要求をワイヤレス・デバイスに提供する必要性は、資産設定または資産制御モジュール内の状態変更オプションを含むことによって取り除かれることができる。追加的に、前に議論されたように、デバイスは、ユーザ制御から広告制御への状態変更を提供するように販売時点または契約時点において予め構成されていることができる。
【００８７】
イベント３１０において、ネットワーク・エンティティは、少なくとも１つのユーザ制御のワイヤレス・デバイス資産がユーザ制御の状態から広告制御の状態への状態変更を指定されたことを示す通知をワイヤレス・デバイスから受信する。前記通知はまた、広告制御として資産を指定するための期間を含むことができる。前記通知、または代替的に別個の通知／通信は、デバイス上で提示されることができる広告のタイプについて時間、位置などのような資産または規定判断基準と関連させられていてもよい広告のタイプを規定することができるユーザ決定のパラメータのようなパラメータを含むことができる。
【００８８】
イベント３２０において、ネットワーク・エンティティは、広告制御の資産として指定されている資産による使用のための広告にワイヤレス・デバイス・アクセスを提供する。ネットワーク・エンティティは、広告制御期間の開示時にワイヤレス・デバイスに広告を提供することができ、またはエンティティは、継続中であることをベースに広告を提供することができる。継続ベースで広告の更新および広告の提供を行うことによって、広告主は、時間に敏感な広告、一連の連続的広告などを提供することができる。追加的に、ネットワーク・エンティティがワイヤレス・デバイス位置または他のユーザおよび／またはデバイス関係の情報にアクセスがあるまたは受信する場合、ネットワーク・エンティティは、デバイスの位置または他のユーザおよび／またはデバイス関係の情報に基づいて、ワイヤレス・デバイスに提供される広告をあつらえることができる。
【００８９】
図７は、ある態様にしたがって、ワイヤレス資産制御の状態が広告制御の状態へ変更したというネットワーク・エンティティ通知を提供し、前記通知に応答して資産と関連する広告を受信するための方法のフロー図を提供する。選択的イベント４００において、ワイヤレス・デバイスは、少なくとも１つのワイヤレス・デバイス資産の制御状態をユーザ制御の状態から広告制御の状態へ変更せよとの要求を受信する。前記要求は、ユーザ制御から広告制御へ資産の制御状態を変更することに同意することに対する補償としてユーザに提供される１つまたは複数の補償スキームを含むことができる。前に注目したように、広告制御の状態に制御状態を変更せよとの要求を受信することは、資産設定が、状態変更選択または状態変更選択のために提供するワイヤレス・デバイス資産制御モジュールのようなデバイス上で実行中の他のアプリケーションを提供する態様において必要でないかもしれない。
【００９０】
イベント４１０において、ワイヤレス・デバイスは、ユーザ制御状態から資産制御状態への制御状態変更のために、ユーザ指定である少なくとも１つのユーザ制御のワイヤレス・デバイス資産を示す通知をネットワーク・エンティティに提供する。前に注目したように、ワイヤレス・デバイス資産は、呼び出し音、壁紙、メモリの割り当て部分、または広告を提示または記憶することができる任意の他の特徴、アプリケーションまたはデバイスを含むことができる。前記通知は、ワイヤレス・デバイス資産を識別することに加えて、状態変更のための期間を識別することができる。追加的に、前記通知、すなわち別個の通知／通信は、ワイヤレス・デバイス資産に提供されるまたはワイヤレス・デバイス資産上で提示されることができる広告のタイプに関係する１つまたは複数のパラメータまたは広告が資産上で提示されることができるところのデバイスの資産または位置上で提示されることができる、日にち、週、月などの時間のような、ユーザが資産上に置くことができる他の限定を含むことができる。
【００９１】
イベント４２０において、前記通知に応答して、ワイヤレス・デバイスは、１つまたは複数のワイヤレス・デバイス資産と関連する１つまたは複数の広告を受信する。呼び出し音資産１０６は、先在の呼び出し音の代わりに実行されるように操作可能な呼び出し音広告置換えをサポートすることができる。他の例において、呼び出し音資産は、先在の呼び出し音の実行の間に周期的に挿入されるように操作可能な呼び出し音広告挿入をサポートすることができる。さらなる例において、呼び出し音資産は、先在の呼び出し音と一緒にデバイス上で視覚的にディスプレイされるディスプレイ可能な広告をサポートすることができる。壁紙資産は、先在の壁紙の代わりにディスプレイされるように操作可能な壁紙広告置換えをサポートすることができる。他の例において、壁紙資産は、先在の壁紙の下に敷かれるまたは壁紙の上に重ねられるように操作可能な壁紙広告挿入をサポートすることができる。メモリ資産は、任意のビデオ、オーディオ、および／または広告制御に割り当てられるメモリの量よりも少ないまたは等しい集合的サイズを有するマルチメディア広告をサポートすることができる。
【００９２】
イベント４３０において、１つまたは複数の広告制御と関連する広告は、ワイヤレス・デバイス上で実行される。広告の実行は、関係するワイヤレス・デバイス資産の発生と同時に起きてもよい。例えば、呼び出し音の実行は、呼び出し音広告を提供することができ、または壁紙のディスプレイは、壁紙広告のディスプレイを提供することができる。資産がデバイス・メモリの一部である事例において、記憶された広告の実行は、アプリケーション、ブロードキャストなどにおいて発生する広告スロットに基づいて発生することができる。追加的に、広告の実行は、ネットワーク・エンティティおよび／またはデバイス・ユーザによる広告の提示が置かれる任意のパラメータに基づいて生じてもよい。例えば、広告は、特定の時間、またはデバイスが特定の位置に位置するときにおいてのみ実行されることができる。
【００９３】
本件明細書において実行される実施形態に関係して説明されたさまざまな例示的論理、論理ブロック、モジュール、および回路は、一般目的プロセッサ、デジタル信号プロセッサ（DSP）、特定用途集積回路（ASIC）、フィールドプログラム可能ゲートアレー（FPGA）、または他のプログラム可能な論理デバイス、別個のゲートまたはトランジスタ・論理、別個のハードウェア構成要素、または本件明細書において説明された機能を実行ように設計されたこれらの任意の組み合わせにより実装または実行されることができる。一般目的プロセッサは、マイクロプロセッサであってもよいが、代替的に、プロセッサは、任意の通常のプロセッサ、制御装置、マイクロ制御装置、または状態機械であってもよい。プロセッサはまた、計算デバイスの組み合わせとして実装されてもよい（例えば、DSPおよびマイクロプロセッサの組み合わせ、複数のマイクロプロセッサ、DSPコアと一緒に１つまたは複数のマイクロプロセッサ、または任意の他のそのような構成）。追加的に、少なくとも１つのプロセッサは、上で説明された１つまたは複数のステップおよび／または動作を実施するように操作可能な１つまたは複数のモジュールを具備することができる。
【００９４】
さらに、本件明細書において開示された態様と関係して説明された方法またはアルゴリズムのステップおよび／または動作は、ハードウェア、プロセッサによって実行可能なソフトウェアモジュール、または2つの組み合わせにおいて直接的に組み込まれることができる。ソフトウェアモジュールは、RAMメモリ、フラッシュメモリ、ROMメモリ、EPROMメモリ、EEPROMメモリ、レジスタ、ハードディスク、リムーバルディスク、CD-ROM、または当該技術分野において知られている記憶媒体の任意の他の形式において存在することができる。例示的な記憶媒体は、プロセッサが記憶媒体から情報を読み出し、および情報を書き込むことができるようにプロセッサに結合されることができる。代替的に、記憶媒体は、プロセッサに内蔵のものであってもよい。さらに、いくつかの態様において、プロセッサおよび記憶媒体は、ASICに存在してもよい。追加的に、ASICは、ユーザ端末に存在してもよい。代替的に、プロセッサおよび記憶媒体は、ユーザ端末における別個の構成要素として存在することができる。追加的に、いくつかの態様において、方法またはアルゴリズムのステップおよび／または動作は、コンピュータ・プログラム・プロダクトに組み込まれることができる機械可読媒体および／またはコンピュータ可読媒体上で１つのまたは任意の組み合わせのまたは1セットのコードおよび／または命令として存在することができる。
【００９５】
前述の開示は、例示的な態様および／または実施形態を議論するが、本件明細書において、さまざまな変更および修正が、添付の特許請求の範囲によって定義されるように説明された態様および／または実施形態の範囲から逸脱することなくなされることができることに注意するべきである。さらに、説明された態様および／または実施形態のエレメントは、単数形で説明されるまたは請求され得るが、単数形への限定が明確に述べられない限り複数形も考慮される。追加的に、任意の態様および／または実施形態のすべてまたは一部は、述べられない限り、任意の他の態様および／または実施形態のすべてまたは一部と一緒に利用されることができる。
【００９６】
したがって、方法、システム、装置、およびコンピュータ・プログラム・プロダクトを提供する本件の態様は、呼び出し音、壁紙、ワイヤレス・デバイス・メモリなどのようなユーザ制御のワイヤレス・デバイス資産および／または特徴上で提示されるコンテンツを制御するために説明される。本件態様において、ユーザ要求の制御状態変更は、ユーザ制御の状態から広告制御状態に取って代わられる。これに関係して、ユーザが広告主または広告プロバイダに対してワイヤレス・デバイス資産の制御をいったん認めると、広告主は、所定の期間の間、指定のワイヤレス・デバイス資産に広告を提供することを可能にする。広告主または広告プロバイダの見地から、本件態様は、新しいプラットフォーム上で提示されるべき広告を提供する。追加的に、ワイヤレス・デバイス資産上で制御を得ることによって、広告主または広告プロバイダは、彼らの広告が制御期間の間、実行されることを確実にされる。
【００９７】
前述の説明および関連した図面において提示された教示の利得を有する本件発明に関係する多くの修正および他の態様が当該技術分野の技術者に思いうかぶだろう。したがって、態様は、開示された特定の態様に限定されるべきではなく、修正および他の態様が添付の特許請求の範囲の範囲内に含まれるよう意図される。特定の用語が本件明細書において採用されているが、それらは、限定の目的のためではなく、原則および記述的観念のみにおいて使用される。したがって、説明された態様は、添付の特許請求の範囲の要旨および範囲内であるすべてのそのような代替、修正、およびバリエーションを包含するよう意図される。さらに、用語「含む(includes)」は、詳細な説明かまたは特許請求の範囲かのいずれかにおいて使用される限度において、そのような用語は、「具備する(comprising)」が特許請求の範囲において交換的な用語として採用されるとき交換されるように、用語「具備する(comprising)」と同様の方法で含まれるよう意図される。
【図１】
2011525260.tif 000003
【図２】
2011525260.tif 000004
【図３】
2011525260.tif 000005
【図４】
2011525260.tif 000006
【図５】
2011525260.tif 000007
【図６】
2011525260.tif 000008
【図７】
2011525260.tif 000009